(57)【特許請求の範囲】
【請求項１】
投入ホッパ、石抜き機、精米機、糠処理機を備える精米装置において、上記精米機の排出部に接続して研米機を設けると共に、精米機の供給側には被処理穀粒を精米機に供給する状態と精米機を経由しないで研米機に供給する状態とに切り替わる切替手段を設けると共に、白米と玄米を識別する識別センサを設け、さらに、上記切替手段をこの識別センサの識別結果に応じて切替作動する選択手段を設けてなる精穀装置。
【発明の詳細な説明】
【０００１】
【発明の属する技術分野】
この発明は、精穀装置に関する。
【０００２】
【従来の技術及び発明が解決しようとする課題】
コインによる持込玄米又は籾を精米処理する精穀施設が普及している。一方不用意に一旦精米処理した白米を投入してしまう誤操作や、白米の表面の付着糠を除去したい所謂研米の要望がある。
【０００３】
【課題を解決するための手段】
この発明は、上記の誤操作による砕米の発生を防ぎながら、研米の要望に応えようとしているもので、次の技術的手段を講じた。
即ち、請求項１に記載の発明は、投入ホッパ、石抜き機、精米機、糠処理機を備える精米装置において、上記精米機の排出部に接続して研米機を設けると共に、精米機の供給側には被処理穀粒を精米機に供給する状態と精米機を経由しないで研米機に供給する状態とに切り替わる切替手段を設けると共に、白米と玄米を識別する識別センサを設け、さらに、上記切替手段をこの識別センサの識別結果に応じて切替作動する選択手段を設けてなる精穀装置の構成とする。
【０００４】
【０００５】
【発明の作用及び効果】
請求項１に記載の発明によると、白米を研米処理する工程を追加でき、従来の精穀施設における利用度の拡大がはかれる。
【０００６】
また、精米機に研米機を接続可能に設けられるから、別途持込の白米のみならず、精米直後の白米をも研米処理できる。
また、白米と玄米を識別する識別センサを設け、さらに、上記切替手段をこの識別センサを設け、さらに、上記切替手段をこの識別センサの識別結果に応じて切り替え作動する選択手段を設けるので、誤って白米を精米工程に供給する恐れがなく、砕米発生を未然に防ぐことができる効果がある。
【０００７】
【０００８】
【０００９】
【発明の実施の形態】
この発明の一実施例につき以下説明する。１は無人精米装置を設置する建屋で、内部は仕切壁２により操作室３と機械室４とに仕切られる。このうち操作室３側には、玄米投入部５、操作盤６、白米取出部７等を有し、機械室３側には投入ホッパ８、石抜昇降機９、石抜機１０、精米昇降機１１、精米機１２、糠処理部１３等を有する。
【００１０】
上記玄米投入部５は該仕切壁２の開口部１４の前後において上記操作室３側には玄米置き台１５を上記機械室４側には投入ホッパ８を夫々のぞませる構成とし、このホッパ８下部には玄米供給手段としての供給樋１７を設け、この供給樋１７に内装する繰出バルブ（図示せず）の軸は後記駆動モ−タ１８により回転連動可能に設けられる。
【００１１】
上記供給樋１７は石抜昇降機９のホッパ部にのぞませ、該石抜昇降機９上部側ホッパの下部には石抜機１０を位置せしめてある。この石抜機１０は、傾斜選別盤，ファン，揺動機構等からなり、駆動モ−タの回転により選別盤が傾斜方向に揺動しつつ起風して玄米中に混在する異物（石、金属片等）を傾斜上位側に揺寄せ、玄米を下方に流下させて出口２０から排出できる構成である。
【００１２】
精米昇降機１１のホッパを上記石抜機１０の玄米出口に連通すると共に、上部のタンク下部には精米機１２の玄米タンク２１をのぞませる。
【００１３】
この精米機１２は、精白室２２内に精白ロール２３を内装する公知の形態である。精米機モータ２６は精白ロールを駆動するほか、後記糠搬送ファン等を回転連動する構成である。上記精白室２２の出口側には圧迫板２８を有し、白度調節機構２９の調節設定によって圧迫板２８の押圧力を変更し、上白・標準・８分搗きの３段階、及び後記の通り「低圧（研米）」に設定できる構成としている。
【００１４】
上記圧迫板２８はバネ３０による所定背圧によって常時排出口を閉塞すべく作用されており、白度調節モータ３１の正転・中立・逆転動作にて上記バネ圧を変更可能になし、上白・標準・８分搗きの設定変更を可能に構成している。
【００１５】
加えて、白度調節機構２９，即ち白度調節モータ３１の上記８分搗き設定以上の逆転動作によってバネ圧を更に弱く設定できる構成とし、上記３段階の通常精米モードから研米モードに設定しうる構成である。
【００１６】
この出口側は白米取出部７としての白米タンク４１に通じる。上記精白室２２の外周に形成する除糠スクリーン４２からの分離糠は、糠搬送ファン（図示せず）により糠排出通路４３を介してサイクロン４４に搬送される。４５，４５はサイクロン４４によって収集された糠を受け入れるための収集用糠袋である。
【００１７】
３２は前記石抜昇降機９の上部ホッパからの穀粒を機外取出し側（返却側）に案内する返却通路で、石抜機１０供給側通路９ａと該返却通路３２との分岐部には、切替弁３３を備え、ソレノイド等のアクチュエータでいずれの通路側に切替動作しうる構成である。なお、切替弁３３は常時は図外スプリングにより返却通路３２を閉じる姿勢に保持されている。
【００１８】
前記操作室３側操作盤６は、その盤面に、玄米投入可ランプ４６、コイン枚数表示灯４７、コインメック４８、もち米選択スイッチ４９、白度選択（図例では、上白・標準・８分の３段階に選択でき、前記白度調節モ−タ３１の正逆転を司る）スイッチ５０，５１，５２等を配設する。このうちコインメック４８には投入コインの識別部や投入コイン毎に作動するコインセンサ５３等を備える。そして、この操作盤６の内部には各部駆動モ−タの駆動制御等を行うマイクロコンピュータを備えている。
【００１９】
上記マイクロコンピュータの演算制御部（ＣＰＵ）５４にはコインセンサ５３からの検出情報、白度選択情報、クロック信号等が入力される。一方出力情報としては繰出バルブ駆動モ−タ１８制御信号、石抜機１０駆動モ−タ５５・昇降機９，１１駆動モ−タ５６・精米機１２駆動モ−タ５７・糠移送螺旋モ−タ５８等本機駆動系制御信号、白度調節モ−タ３１制御信号等がある。
【００２０】
ＣＰＵ５４は、主に次の機能を有する。即ち、コインセンサ５３からの信号を受けて投入金額乃至投入枚数を算出する。投入コイン数に応じて内蔵のタイマ機構を動作して所定時間ｔ1繰出バルブ駆動用モ−タ１８に駆動信号を出力する。一方、精米機１２駆動モ−タ５７や昇降機９，１１用モ−タ５６等本機駆動系モ−タにも同時に駆動信号を出力する。
【００２１】
コイン投入枚数に基づく設定時間ｔ1が経過すると、設定時間ｔ2（例えば３０秒）遅れて精米機１２用モ−タ５７等の本機駆動系モ−タを停止すべく出力する、等であるが、加えて次の機能を備えている。投入ホッパ８に設ける識別センサ６０は、投入穀粒が玄米か白米かを見分けることができるが、この識別センサ６０の識別結果に基づいて、被処理穀粒が白米であるときには、前記切替弁３３に返却通路３２側を開くよう動作出力する。なお、識別結果により，玄米であるときには、通常のまま石抜機１０側通路を開くよう出力する。
【００２２】
又、操作盤面には選択スイッチ６１を備え、このスイッチ６１をオンすると、研米工程を選択されることとなる。つまり、精白圧力は３段階選択以外にかなり圧迫板２８の圧力を低く設定しうるようになし、この状態下で白米を精米機に投入して表面糠の剥離をはかる。
【００２３】
なお、コイン投入枚数に対応する処理量との関係は、上記繰出バルブの所定時間の管理によるほか、以下の要領でも関連つけできる。即ち、石抜昇降機９の出口部に縦軸３５周りに複数の一定容積の回転シリンダ３６，３６を設け、これらの一は石抜昇降機９の直下に位置して予め設定した時間だけ穀粒を受け入れるよう構成している。即ち、投入ホッパ８の有無センサ３７の穀粒有り状態で、石抜昇降機９の出口ホッパ９ａの穀粒有無センサ３８の穀粒有り継続中、つまり穀粒が間断なく供給されていると推定できる状態での所定時間供給をもって一のシリンダ３６への単位穀粒量となすものである。このシリンダ３６に収容された単位穀粒量は、石抜機１０の石抜ホッパ１０ａの有無センサ３９が穀粒所定量以下を検出するとき該ホッパ１０ａ上位に回転してきてシャッタを開き穀粒を排出するものである（図６）。かような構成を採ることによって、従来投入ホッパ８の繰出バルブ回転時間によって容積を推定したものに比して穀粒量の検出精度が向上するのである。上例の作用について説明する。
【００２４】
予め原料玄米の量に見合う運転時間を確保できるだけの１００円硬貨をコインメック４８の投入口に投入すると共に、玄米を投入ホッパ８に供給する。続いてうるち米処理のときは直接白度設定スイッチ５０〜５２のいずれかを操作するが、これによって本機系モータに駆動信号が出力されるものであり、先ず投入ホッパ８からの玄米は供給螺旋によって水平移送され石抜昇降機９内に投入される。該昇降機９上部からの排出玄米は石抜機１０内に入り揺動乃至風選処理されて混入する異物が除去される。選別盤２０下方からの精玄米は、精米昇降機１１に供給されて揚上し、玄米タンク２１内に供給される。
【００２５】
精米機１２の精白室２２内に流下する玄米は、精白室２２内に入り、精白ロール２３の回転により穀粒間乃至除糠スクリーン３２間で表面の糠層が剥がれ精白される。なお、この際、出口の圧迫板２８は、白度設定スイッチ５０〜５２にて所望の圧力に設定されてあり、希望の精白度に仕上がる。
【００２６】
精白室２２からの精白米は白米取出部７を経て適宜操作室３内にて回収されるものである。運転各部は投入金額にて設定された時間ｔ1が経過すると供給螺旋の駆動モータ１８が停止し、所定時間ｔ2遅れて精米機等本機駆動モータは停止するから、昇降機９，１１や精白室２２内の玄米残留を少なくできる。
【００２７】
ところで、投入ホッパ８には、識別センサ６０を有して、被処理穀粒が玄米か白米か判定される。玄米と判定されると、通常通り石抜機１０、精米機１２を各起動して精米運転をはじめるが、白米と判定されると、切替弁３３には返却通路３２を開くよう作動指令され、被処理穀粒は石抜機１０側に行かずに返却される（図７）。
【００２８】
しかしながら、予め選択スイッチ６１がオンされると、研米モードへ移行される。すなわち、白度設定モータ３１正逆転してバネ３０圧を大小に設定変更し精白度を変更しうる白度調節機構２９は、当該選択スイッチ６１の研米選択に基づいて、被処理穀粒を通常の石抜き・精米工程に移行させるもので、識別センサ６０が白米を識別しても、返却されることなく、研米工程に移行させ、研米モードで処理することができる(図８)。
【００２９】
このように、精米機１０の精白圧力を低く設定して研米モードに移行できる構成であるから、精米機１０を研米装置に兼用できて便利である。
【００３０】
なお、上記実施例では、研米の要否の選択手段として識別センサ６０による構成としたが、任意に選択しうるよう白米用研米スイッチを設ける構成でもよい。
【００３１】
図９は研米手段の異なる実施例を示す。投入ホッパ８、石抜昇降機９、石抜機１０、精米昇降機１１、精米機１２等をこの順で配設するとともに、精米機１２の下手側、即ち白米出口側に接続すべく研米機６２を設ける。この研米機６２の構成は、精米機１２の構成と同形態で、研米室６３内に研米ロール６４を備え、除糠スクリーン６５で形成される当該研米室６３内に導入された白米の表面に残る付着糠あるいは糠層を低い研米圧力下で剥離除去しうる構成である。なお、研米圧力は出口部の圧迫板６６の弾性力による。
【００３２】
精米昇降機１１の出口側には、経路切替手段６７を有する。切替手段６７は、精米機１２に通じる精米通路６８、研米機６３に通じる研米通路６９、これらの二股分岐部にあっていずれか一方の通路を遮断する切替弁７０等からなる。切替弁７０は常時は研米通路６９を閉じ精米通路６８を開放すべくバネ（図示せず）で付勢されている。切替指令信号を受けると図外のアクチュエータが作動しバネに抗して切替弁７０を作動し精米通路６８側を遮蔽すべく切り替わる構成である。
【００３３】
この例においても投入ホッパ８部に識別センサ７１を備えており、被処理穀粒が玄米か白米かを識別し得る構成とし、この識別結果に基づいて上記切替弁７０の切替指令出力をする構成である。また、操作盤面には研米スイッチ７２を備え、玄米を精米処理後の研米処理の要否をこのスイッチ７２操作で確認実行できる。
【００３４】
図１１に基づき上記の作用を説明する。コイン投入し、被処理穀粒を投入ホッパ８に投入すると、識別センサ７１が検出動作し玄米か白米かを識別する。玄米のときは、更に研米スイッチ７２が押されたか否かが判別され、研米スイッチ７２が押されないときは、白度選択後各部が起動して所定時間精米処理され、白米はそのまま機外に排出される。
【００３５】
一方、上記研米スイッチ７２が押されてオンすると、精米機１２出口からの白米は研米機６３に供給すべく図外経路を連通する。そして白度選択後各部が起動して所定時間精米処理され、白米は研米機６３に送られて研米処理された後機外に排出される。
【００３６】
更に、識別センサ７１で白米と識別されると、切替弁７０は作動して研米通路６９が連通状態となる。被処理穀粒，即ち白米は石抜機１０を経て、精米機１２を迂回して研米機６３に至り、ここで研米処理を受けて機外に排出されることとなる。
【００３７】
上記のように、各別の研米機６３を備えるときは、精米処理直後の白米も研米処理を行うことができる。また、経路切替手段６７を備えて精米機１２あるいは研米機６３に選択的に供給できる構成であるから、白米の研米処理を効率的に行うことができる。
【００３８】
この実施例にあっても、白米の研米を実行するため、識別センサ７１に代えて任意の白米用研米スイッチを設ける形態でもよい。
【００３９】
図１２は、糠処理手段の別例を示すものである。前記サイクロン４４からの分離糠を横移送する糠移送螺旋筒７３の終端部に、テーパ状断面の吐出口７４，７４を設け、糠螺旋７５の送り作用を受けて小断面の当該吐出口７４，７４にて固形化を図る構成である。即ち、糠を収集して移送する移送筒内に糠を圧縮する手段を設け、圧縮状態で筒外にて収集する手段（固形糠袋）を接続する構成であるから、単に移送される糠のまま収集袋４５，４５に収容する図１の形態に比較して、糠の収集容積を極力少なくすることができ、狭い建屋内に多量の糠をストックすることができる。
【図面の簡単な説明】
【図１】 装置全体平面図である。
【図２】 装置概要説明図である。
【図３】 精米機断面図である。
【図４】 操作盤面図である。
【図５】 制御ブロック図である。
【図６】 石抜昇降機−石抜機関係説明図である。
【図７】 フローチャートである。
【図８】 フローチャートである。
【図９】 別実施例の装置概要説明図である。
【図１０】 研米機一例を示す断面図である。
【図１１】 フローチャートである。
【図１２】 ぬか処理部断面図である。
【符号の説明】
１…建屋、２…仕切壁、３…操作室、４…機械室、５…玄米投入部、６…操作盤、７…白米取出部、８…投入ホッパ、９…石抜昇降機、１０…石抜機、１１…精米昇降機、１２…精米機、１３…糠処理部、１４…開口部、１５…玄米置き台、１７…供給樋、１８…駆動モータ、２０…出口、２１…玄米タンク、２２…精白室、２３…精白ロール、２６…精米機モータ、２８…圧迫板、２９…白度調節機構、３０…バネ、３１…白度調節モータ、３２…返却通路、３３…切替弁、４１…白米タンク、４２…除糠スクリーン、４３…糠排出通路、４４…サイクロン、４５，４５…糠袋、４６…玄米投入可ランプ、４７…コイン枚数表示灯、４８…コインメック、４９…もち米選択スイッチ、５０，５１，５２…白度選択スイッチ、５３…コインセンサ、５４…演算制御部、５５…石抜機駆動モ−タ、５６…昇降機駆動モ−タ、５７…精米機駆動モ−タ、５８…糠移送螺旋モ−タ、６０…識別センサ、６１…選択スイッチ、６２…研米機、６３…研米室、６４…研米ロール、６５…除糠スクリーン、６６…圧迫板、６７…切替手段、６８…精米通路、６９…研米通路，７０…切替弁、７１…識別センサ、７２…研米スイッチ
【図１】
0004030714.tif 000002
【図２】
0004030714.tif 000003
【図３】
0004030714.tif 000004
【図４】
0004030714.tif 000005
【図５】
0004030714.tif 000006
【図６】
0004030714.tif 000007
【図７】
0004030714.tif 000008
【図８】
0004030714.tif 000009
【図９】
0004030714.tif 000010
【図１０】
0004030714.tif 000011
【図１１】
0004030714.tif 000012
【図１２】
0004030714.tif 000013